【事件の表示】
　特願２００５−３３７２７９「表示装置、及び表示装置の駆動方法」拒絶査定不服審判事件〔平成１９年　６月　７日出願公開、特開２００７−１４０３７９〕について、次のとおり審決する。
【結　論】
　本件審判の請求は、成り立たない。
【理　由】
第１　手続の経緯・原査定の拒絶の理由
　
特許出願：　平成１７年１１月２２日
拒絶査定：　平成２４年７月１７日（送達日：同年同月２４日）
拒絶査定不服審判の請求：　平成２４年１０月２２日 
手続補正：　平成２４年１０月２２日 （以下、「本件補正」という。）
審尋：　　　平成２５年８月１日（発送日：同年同月６日）
審尋回答：　平成２５年９月９日
　
　そして、原査定の拒絶の理由３．は、概略、本願の特許請求の範囲の請求項１ないし７に係る発明は、本願出願前に日本国内において頒布された刊行物である特開２００５−３１６４５９号公報（発明の名称：液晶表示装置、及び液晶表示装置の駆動方法、　出願人：東芝松下ディスプレイテクノロジー株式会社、　以下「引用例」という。）に記載された発明等に基づいて当業者が容易に発明をすることができたものであるから、特許法第２９条第２項の規定により特許を受けることができない、というものである。
　
　
第２　本願発明
　本件補正のうち、特許請求の範囲についてした補正は、明瞭でない記載の釈明を目的とするものであり、本件補正は適法である。
　本願の請求項１ないし７に係る発明は、本件補正によって補正された明細書、特許請求の範囲、及び図面の記載からみて、その特許請求の範囲の請求項１ないし７に記載された事項により特定されるとおりのものと認められるところ、その請求項１に係る発明は次のとおりである。 
　
「複数行の表示画素と、
　前記複数行の表示画素を所定数行単位で駆動するべくゲート線を選択的に駆動し、ソース線を介して駆動すべき表示画素に信号を供給するドライバ回路と、
　前記所定数行分の表示画素を一緒に駆動して非映像信号を書込む非映像信号書込および前記所定数行分の表示画素を順次駆動して映像信号を書込む映像信号書込を交互に行うように前記ドライバ回路を制御する制御回路とを備え、
　前記制御回路は映像信号書込において最初に駆動される表示画素の行に第１期間を割当て、残りの表示画素の行の各々に第２期間を割当て、前記第１期間を前記第２期間よりも長く設定するとともに、前記所定数行の表示画素をこれらに割当てられた前記第１および第２期間において一定の時間長ずつ駆動するべく対応するゲート線を全て同一の時間長で駆動しかつ前記第１期間においては前記第２期間におけるゲート線駆動よりも遅れてゲート線を駆動するように構成される表示装置。」（以下「本願発明」という。）
　
　
第３　引用例記載の事項・引用発明
　これに対して引用例には、「液晶表示装置、及び液晶表示装置の駆動方法」（発明の名称）に関し、次の事項（ａ）ないし（ｅ）が図面とともに記載されている。
　
（ａ）
「【０００１】
  本発明は、ＯＣＢモード液晶を用いた液晶表示装置、及び液晶表示装置の駆動方法に関するものである。」
　
（ｂ）
「【発明が解決しようとする課題】
【００２３】
  ところが、温度が１０度以下などの低温の場合に、例えば中間色の同じ色で液晶表示装置の各画素を表示すると、図１６（ｂ）に示すように、液晶表示パネルの表示面上に４ライン毎に本来の表示色より黒っぽい筋が現れる。これは次の原因による。
【００２４】
  すなわち、図１６（ａ）にソース信号線１３の電圧波形を示す。このソース電圧波形を観察すると、逆転移防止のために黒色に対応する電圧を印加した後、次の画素に電圧を書き込むためにソース信号線１３に中間色に対応する電圧を印加してもソース信号線１３の電圧は、中間色に対応する電圧になっていない。
【００２５】
  低温になると、液晶の容量が大きくなるので、ソース線に書き込み不足が発生する。つまり、逆転移防止のために黒色に対応する電圧を印加した後、次の画素に中間色に対応する電圧を印加しても、ソース信号線１３の寄生容量などのために、ソース信号線１３がその中間色に対応する電圧にならない。そして、その次の画素に中間色に対応する電圧を印加する際には、ソース信号線１３の電圧が中間色に対応する電圧にかなり近付いているので、ソース信号線１３が中間色に対応する電圧になる。このように、逆転移防止のために黒色に対応する電圧を書き込んだ直後に中間色に対応する電圧を印加する画素が充電不足のために黒く表示される。
【００２６】
  なお、このように中間色の同じ色を各画素に表示すると本来の表示色より黒っぽい筋が現れる問題は同時に４画素に逆転移防止のために黒色に対応する電圧を印加し、引き続き４画素に順次表示色に対応する電圧を印加する１．２５倍速変換に限らない。ｎ画素に同時に逆転移防止のために黒色に対応する電圧を印加し、引き続きｎ画素に順次表示色に対応する電圧を印加する逆転移防止駆動であっても同様の問題が発生する。また、中間色に限らず、白色で各画素を表示する場合にも同様の問題が発生する。
【００２７】
  すなわち、ＯＣＢモードを用いた液晶表示装置で逆転移防止駆動する際、温度が低温の場合には、中間色や白色の同じ色で各画素を表示すると表示パネルの表示面に本来の表示色より黒っぽい筋が表示されるという課題がある。
【００２８】
  本発明は、上記課題を考慮し、温度が低温の場合であっても、中間色や白色の同じ色で各画素を表示しても表示パネルの表示面に本来の表示色より黒っぽい筋が現れない液晶表示装置、液晶表示装置の駆動方法を提供することを目的とするものである。」
　
（ｃ）
「【００５９】
  （第１の実施の形態）
  まず、第１の実施の形態について説明する。
【００６０】
  図１に、第１の実施の形態のＯＣＢモードを用いた液晶表示装置のブロック図を示す。
【００６１】
  液晶表示装置１は、ＯＣＢモード液晶を用いた液晶表示装置である。
【００６２】
  液晶表示装置１は、液晶表示パネル２、ゲートドライバ３、ソースドライバ１１、液晶駆動電圧発生回路５、コントローラ回路６、入力電源８から構成される。
【００６３】
  液晶表示パネル２は、マトリックス状に配置されたソース信号線及びゲート信号線と、ソース信号線及びゲート信号線の交点に設けられ、ＯＣＢモード液晶を使用した画素とを有する表示パネルである。
【００６４】
  ゲートドライバ３は、液晶表示パネル２の各ゲート信号線に線順次走査を行うための選択走査信号を供給する回路である。
【００６５】
  ソースドライバ１１は、液晶表示パネル２の各ソース信号線に画像信号電圧を供給する回路である。
【００６６】
  液晶駆動電圧発生回路５は、ソースドライバ１１に対してはソースドライバ用駆動電圧を供給し，ゲートドライバ３に対してはゲートドライバ用駆動電圧を供給し，対向信号電極に対しては対向信号電極用駆動電圧を供給する回路である。
【００６７】
  コントローラ回路６は、画像信号処理や駆動タイミングを制御する回路である。コントローラ回路６は、表示データを入力し、その表示データに対応する表示信号を出力し、また、ソースドライバ１１、ゲートドライバ３、液晶駆動電圧発生回路５に対しタイミング制御信号を送る回路である。
【００６８】
  入力電源８は、液晶表示装置１が動作するための電源を供給する手段である。」
　
（ｄ）
「【０１５０】
  （第５の実施の形態）
  次に、第５の実施の形態について説明する。
【０１５１】
  第５の実施の形態のＯＣＢモードを用いた液晶表示装置の構成は第１の実施の形態と同様に図１で示される。
【０１５２】
  また、図２に、ＯＣＢモードを用いた液晶表示装置のうち、液晶表示パネル２の１画素近傍、ソースドライバ１１、及び黒挿入電圧発生回路１２を示す。ただし、実施の形態１では黒挿入電圧発生回路１２は、黒色に対応する電圧より所定の値だけ低い電圧を供給するとして説明したが、第５の実施の形態では、黒挿入電圧発生回路１２は、黒色に対応する電圧を供給するものとする。
【０１５３】
  第５の実施の形態のＯＣＢモードを用いた液晶表示装置の第１の実施の形態のＯＣＢモードを用いた液晶表示装置との相違点は、コントローラ回路６が１水平走査期間の長さを変える点である。
【０１５４】
  次に、このような本実施の形態を第１の実施の形態との相違点を中心に説明する。
【０１５５】
  表示動作を行う際には、本実施の形態のＯＣＢモードを用いた液晶表示装置も従来の技術で説明した液晶表示装置と同様に逆転移防止駆動として１.２５倍速変換を行う。また、液晶表示パネル２の温度が摂氏１０度以下などの低温であるとする。また、液晶表示パネル２に中間色の同じ色を表示する場合について説明する。
【０１５６】
  すなわち、図１１（ａ）に、ソース信号線１３方向の各画素を示す。ソース信号線１３方向には画素ｇ１、ｇ２、・・・、ｇ１２、・・・が並んでいる。
【０１５７】
  図１１（ｂ）に、図１１（ａ）の各画素を１．２５倍速変換で表示する場合のタイミングを示す。図１１（ｂ）では、各１水平走査期間を示す期間をＴ１、Ｔ２、・・・Ｔ１０・・・で示している。図１１（ａ）、（ｂ）と従来の技術で説明した図１５との相違点は、図１１（ｂ）で１水平走査期間Ｔ２、Ｔ７の長さがそれ以外の１水平走査期間より長い点である。すなわち、逆転移防止駆動を行う１水平走査期間の次の１水平走査期間の長さは、それ以降の１水平走査期間の長さより長くなっている。
【０１５８】
  ただし、Ｔ１、Ｔ２、Ｔ３、Ｔ４、及びＴ５の合計の長さは変わらない。例えば、Ｔ２を１．４倍にすると、Ｔ１、Ｔ３、Ｔ４、及びＴ５は元の０．９倍にすればよい。
【０１５９】
  図１２に、本実施の形態のＯＣＢモードを用いた液晶表示装置のソース信号線１３の電圧波形を示す。図１２のソース信号線１３の電圧波形は、各画素に中間色の同じ色を表示する場合の電圧波形である。また、図１２のソース信号線１３の電圧波形の横軸には、図１１（ｂ）に示した１水平走査期間Ｔ１、Ｔ２、Ｔ３、Ｔ４、及びＴ５が示されている。
【０１６０】
  図１２のソース電圧波形を観察すると、１水平走査期間Ｔ１すなわち、逆転移防止のための駆動を行う期間のソース信号線１３の電圧は、黒色に対応する電圧に設定されている。そして、１水平走査期間Ｔ２すなわち、中間色を表示する期間のソース信号線１３の電圧は、中間色に対応する電圧になっている。
【０１６１】
  同様に、１水平走査期間Ｔ３、Ｔ４、Ｔ５すなわち中間色を表示する期間のソース信号線１３の電圧は、すべて中間色に対応する電圧になっている。
【０１６２】
  そして、１水平走査期間Ｔ２の長さは１水平走査期間Ｔ１、Ｔ３、Ｔ４、Ｔ５より長くなっている。
【０１６３】
  このように、本実施の形態は、１水平走査期間Ｔ２の長さを１水平走査期Ｔ１、Ｔ３、Ｔ４、Ｔ５より長くすることによって、逆転移防止駆動の直後に中間色に対応する電圧を書き込む際に、ソース信号線１３の電圧を表示する中間色に対応する電圧にすることが出来るようになる。
【０１６４】
  このように本実施の形態では、黒色に対応する電圧を印加した直後に中間色に対応する電圧をソース信号線１３に印加する際の１水平走査期間を２番目以降の１水平走査期間より長くすることによって、ソース信号線１３の充電不足を改善し、ソース信号線１３を中間色に対応する電圧にすることが出来る。従って、本来の表示色より黒っぽい筋が液晶表示パネル２に現れないようにすることが出来る。
【０１６５】
  なお、本実施の形態では、コントローラ回路６が１水平走査期間Ｔ２の長さを１水平走査期間Ｔ３、Ｔ４、Ｔ５より長くするとして説明したが、これに限らない。ソース信号線１３の充電不足が１水平走査期間Ｔ２のみならず、例えばＴ３も充電不足になるような場合には、コントローラ回路６は、１水平走査期間Ｔ２、及びＴ３の長さを１水平走査期間Ｔ４、Ｔ５より長くすればよい。このように、コントローラ回路６は、ソース信号線１３の充電不足が発生する１水平走査期間の長さをソース信号線１３の充電不足が発生しない１水平走査期間より長くすることにより、本実施の形態と同等の効果を得ることが出来る。
【０１６６】
  なお、本実施の形態では、黒挿入電圧発生回路１２が逆転移防止駆動を行うとして説明したが、これに限らない。黒挿入電圧発生回路１２を設けず、黒挿入電圧発生回路１２の代わりにソースドライバ１１が逆転移防止駆動を行っても構わない。なお、その場合には、黒挿入電圧発生回路１２が行っていた機能をソースドライバ１１が黒挿入電圧発生回路１２の代わりに行うものとする。」
　
（ｅ）　
「【請求項１９】
  マトリックス状に配置されたソース信号線及びゲート信号線、及び前記ソース信号線及びゲート信号線の交点に設けられ、ＯＣＢモード液晶を使用した液晶表示素子を有する液晶表示パネルと、
  前記ゲート信号線にゲート信号を供給するゲートドライバと、
  表示期間には、前記ソース信号線に表示データの階調に対応する電圧を供給し、逆転移防止駆動期間には、逆転移防止のための電圧を前記ソース信号線に供給するソースドライバとを備え、
  前記逆転移防止駆動期間の後に前記ソース信号線に供給する所定番目までの前記表示データに対応する前記表示期間は、前記所定番目より後の前記表示データに対応する前記表示期間より長い液晶表示装置。」
　
　上記記載（ａ）ないし（ｅ）、及び図面の図１，２，１１，１６の記載から、引用例には、次の発明が記載されていると認められる。
　
「マトリックス状に配置されたソース信号線及びゲート信号線の交点に設けられた液晶表示素子と、
　液晶表示パネルの各ゲート信号線に線順次走査を行うための選択走査信号を供給するゲートドライバ、及び液晶表示パネルの各ソース信号線に画像信号電圧を供給するソースドライバと、
　同時に４画素に逆転移防止のために黒色に対応する電圧を印加し、引き続き４画素に順次表示色に対応する電圧を印加するように、ソースドライバ及びゲートドライバに対しタイミング制御信号を送るコントローラ回路とを備え、
　前記コントローラ回路は、逆転移防止駆動を行う１水平走査期間の次の１水平走査期間の長さが、それ以降の１水平走査期間の長さより長くなるように、１水平走査期間の長さを変えるように構成される表示装置。」（以下「引用発明」という。）
　
　
第４　対比
　本願発明と引用発明とを、主たる構成要件毎に、順次対比する。
　
　まず、引用発明における「マトリックス状に配置されたソース信号線及びゲート信号線の交点に設けられた液晶表示素子」は、本願発明における「複数行の表示画素」に相当する。
　また、引用発明における「液晶表示パネルの各ゲート信号線に線順次走査を行うための選択走査信号を供給するゲートドライバ、及び液晶表示パネルの各ソース信号線に画像信号電圧を供給するソースドライバ」は、本願発明における「前記複数行の表示画素を所定数行単位で駆動するべくゲート線を選択的に駆動し、ソース線を介して駆動すべき表示画素に信号を供給するドライバ回路」に相当し、同様に引用発明における「同時に４画素に逆転移防止のために黒色に対応する電圧を印加し、引き続き４画素に順次表示色に対応する電圧を印加するように、ソースドライバ及びゲートドライバに対しタイミング制御信号を送るコントローラ回路」は、本願発明における「前記所定数行分の表示画素を一緒に駆動して非映像信号を書込む非映像信号書込および前記所定数行分の表示画素を順次駆動して映像信号を書込む映像信号書込を交互に行うように前記ドライバ回路を制御する制御回路」に相当する。
　さらに、引用発明における「逆転移防止駆動を行う１水平走査期間の次の１水平走査期間」及び「それ以降の１水平走査期間」が、それぞれ本願発明における「第１期間」及び「第２期間」に相当するものであるから、引用発明における「前記コントローラ回路は、逆転移防止駆動を行う１水平走査期間の次の１水平走査期間の長さが、それ以降の１水平走査期間の長さより長くなるように、１水平走査期間の長さを変えるように構成される」点は、本願発明における「前記制御回路は映像信号書込において最初に駆動される表示画素の行に第１期間を割当て、残りの表示画素の行の各々に第２期間を割当て、前記第１期間を前記第２期間よりも長く設定するように構成される」点に相当する。
　
　してみると、両者の一致点及び相違点は、以下のとおりである。
　
（一致点）
「複数行の表示画素と、
　前記複数行の表示画素を所定数行単位で駆動するべくゲート線を選択的に駆動し、ソース線を介して駆動すべき表示画素に信号を供給するドライバ回路と、
　前記所定数行分の表示画素を一緒に駆動して非映像信号を書込む非映像信号書込および前記所定数行分の表示画素を順次駆動して映像信号を書込む映像信号書込を交互に行うように前記ドライバ回路を制御する制御回路とを備え、
　前記制御回路は映像信号書込において最初に駆動される表示画素の行に第１期間を割当て、残りの表示画素の行の各々に第２期間を割当て、前記第１期間を前記第２期間よりも長く設定するように構成される表示装置。」　
　
（相違点）
　本願発明においては、「前記所定数行の表示画素をこれらに割当てられた前記第１および第２期間において一定の時間長ずつ駆動するべく対応するゲート線を全て同一の時間長で駆動しかつ前記第１期間においては前記第２期間におけるゲート線駆動よりも遅れてゲート線を駆動するように構成される」のに対し、引用発明においては、「１水平走査期間の長さ」が変えられるとしているにとどまり、ゲート線駆動の時間長さやタイミングに関しては明らかでない点。
　
  　
第５　判断
　上記相違点について検討する。
  引用発明の「逆転移防止駆動を行う１水平走査期間の次の１水平走査期間」（本願発明の「第１期間」に相当。）における、ゲート線の駆動時間長さについて検討するに、
　
ア．引用発明の「それ以降の１水平走査期間」（本願発明の「第２期間」に相当。）におけるゲート線の駆動時間長さによって、映像信号の書込みが十分に可能であることが当業者ならば明らかであり、
　
イ．液晶表示装置においては、高速駆動の要求は周知な課題となっていることから、 必要以上にゲート線の駆動時間を長くすべきでないことも当業者にとって自明であり、
　
ウ．引用発明の「表示パネルの表示面に本来の表示色より黒っぽい筋が現れない」（段落【００２８】）ようにするという課題は、要するに行間における表示の均質化を図るということにほかならないから、各行における書込み条件を均一なものとすべきであることも当業者にとって自明なことである。
　
　以上のことを考慮すれば、各期間におけるゲート線の駆動時間長さは全て同じ時間長とすることは、自然な考え方であるといえる。その際に、「逆転移防止駆動を行う１水平走査期間の次の１水平走査期間」において、逆転移防止駆動の影響を避ける必要があることから、ゲート線駆動開始を期間の後寄りとすることも当然の配慮である。
　したがって、引用発明において、全期間においてゲート線を全て同一の時間長で駆動し、「逆転移防止駆動を行う１水平走査期間の次の１水平走査期間」において、遅れてゲート線を駆動するように構成することは、当業者が容易になし得たものである。
　
　
第６　請求人の主張について
　審判請求人は、前記審尋への回答において補正案を提示しているので、検討する。
　
（１）補正案の内容（請求項１）
「複数行の表示画素と、 
 　それぞれの行の表示画素を選択するゲート線を駆動するゲートドライバと、 
 　それぞれの行の表示画素に信号を供給するソース線を駆動するソースドライバと、 
 　ゲートドライバを制御して所定数行のゲート線を同一タイミングで駆動するとともにソースドライバを制御してソース線に非映像信号を供給して選択された所定数行の表示画素に非映像信号を書込む非映像信号書込、およびゲートドライバを制御して前記所定数行のゲート線を順次駆動するとともにソースドライバを制御してソース線に映像信号を供給して選択された行の表示画素に映像信号を書込む映像信号書込を交互に行うように制御する制御回路とを備え、 
 　前記制御回路は映像信号書込において、 
 　最初に駆動される表示画素の行に第１期間を割当て、残りの表示画素の行の各々に第２期間を割当て、前記第１期間を前記第２期間よりも長く設定するとともに、 
 　前記ソースドライバを制御して、前記第１期間及び第２期間にわたり対応する行の表示画素に映像信号を供給し、前記ゲートドライバを制御して、前記第１および第２期間において対応するゲート線を全て同一の時間長で駆動し、 
 　かつ前記第１期間の開始からゲート線駆動が開始されるタイミングは、前記第２の期間の開始からゲート線駆動が開始されるタイミングよりも遅れてゲート線を駆動するように構成される表示装置。 」
　
（２）検討
　補正案の内容（請求項１）は、回答書において主張されているとおり、請求項の記載を明確化するものであって、実質的に発明の内容を変更するものではないといえる。すなわち、上記補正案の請求項１に係る発明は、上記「第５　判断」において説示したと同様の理由により、引用発明に基づいて当業者が容易に発明をすることができたものである。
　
　したがって、審判請求人の主張及び補正案は、上記判断に影響を及ぼすものではない。
　
　
第７　むすび
　したがって、本願発明は、引用発明に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　
　よって、結論のとおり審決する。